(57)【要約】【課題】部品点数を節減でき、作業も簡単であるとともに、意匠性にも優れる建築用ルーバー。【解決手段】建築物の壁躯体２に直接固定した受部材３と、押出形材からなるルーバー材４とを備え、上記受部材３には壁躯体２に固定するための固定片５と、上記壁躯体２に対して垂直に突出するとともに先端に係止受顎７を有する係止片６を備え、上記ルーバー材４には上記係止片６に嵌合するとともに先端に係止顎１１を有する凹溝部１０を備え、上記ルーバー材４の凹溝部１０を上記受部材３の外側から嵌合し、かつ係止顎１１と係止受顎７とを係止させて固定した。【選択図】図２
2014145251.tif 000002
【特許請求の範囲】
【請求項１】
建築物の壁躯体に直接固定した受部材と、押出形材からなるルーバー材とを備え、上記受部材には壁躯体に固定するための固定片と、上記壁躯体に対して垂直に突出するとともに先端に係止受顎を有する係止片を備え、上記ルーバー材には上記係止片に嵌合するとともに先端に係止顎を有する凹溝部を備え、上記ルーバー材の凹溝部を上記受部材の外側から嵌合し、かつ係止顎と係止受顎とを係止させて固定するものであって、
上記係止顎は、先端に行くに従って尖るように形成されるとともに、先端部が平らに形成されており、
上記ルーバー材の両側面の内側にリブを形成し、
上記係止顎と上記係止受顎とが係止したときに、上記係止受顎の先端が上記リブに当接することで上記係止顎の平らな先端と上記壁躯体との間に隙間が形成されることを特徴とする建築用ルーバー。
【請求項２】
上記ルーバー材の中空部の内側に長手方向に沿って突条を形成する一方、上記ルーバー材の両端には小口を塞ぐ小口化粧材を固定し、上記小口化粧材の背面側には上記突条に嵌合可能な１対の嵌合片と、ネジの軸部を挿通可能な係合部とを形成し、上記小口化粧材の嵌合片をルーバー材の突条に嵌合するとともに、上記小口化粧材の背面に沿って進入させたネジの軸部を上記係合部に挿通させて上記中空部の壁に螺着したことを特徴とする、請求項１記載の建築用ルーバー。
【請求項３】
上記ルーバー材の両端には小口を塞ぐ小口化粧材を固定し、上記ルーバー材及び上記小口化粧材の表面には化粧シートが貼着したことを特徴とする、請求項１又は２に記載の建築用ルーバー。
【発明の詳細な説明】
【技術分野】
【０００１】
本発明は、壁に格別の金具を必要とすることなしに直付けされた建築用ルーバーに関するものである。
【背景技術】
【０００２】
建築物の壁にルーバーを取り付けるときは、例えば壁躯体に取付金具を介して複数の取付枠を平行に固定し、さらに取付枠に直交するようにパネル状の取付部材を固定し、これらの取付部材にルーバー材を固定する方式が知られている（特許文献１参照）。また、建物躯体に複数の支持部材を平行に固定し、支持部材に形成された受け溝にルーバー材の突条を嵌合し、受け溝と突条とをバネクリップを介して係止させて突条が抜け出さないように固定したものも存在する（特許文献２参照）。
【先行技術文献】
【特許文献】
【０００３】
【特許文献１】特開２００１−２４８２５３号公報
【特許文献２】実開昭６３−１９５０３７号公報
【発明の概要】
【発明が解決しようとする課題】
【０００４】
しかしながら、従来の建築用ルーバーは、部品点数が多くコストが嵩むほか、ビスやボルトを多用しているので、作業性がよくないという問題があった。
【０００５】
本発明は、上記問題点を解消し、部品点数を節減でき、作業も簡単であるとともに、意匠性にも優れる建築用ルーバーを提供することをその課題とする。
【課題を解決するための手段】
【０００６】
前記課題を解決するため、請求項１に係る発明は、建築物の壁躯体に直接固定した受部材と、押出形材からなるルーバー材とを備え、上記受部材には壁躯体に固定するための固定片と、上記壁躯体に対して垂直に突出するとともに先端に係止受顎を有する係止片を備え、上記ルーバー材には上記係止片に嵌合するとともに先端に係止顎を有する凹溝部を備え、上記ルーバー材の凹溝部を上記受部材の外側から嵌合し、かつ係止顎と係止受顎とを係止させて固定するものであって、上記係止顎は、先端に行くに従って尖るように形成されるとともに、先端部が平らに形成されており、上記ルーバー材の両側面の内側にリブを形成し、上記係止顎と上記係止受顎とが係止したときに、上記係止受顎の先端が上記リブに当接することで上記係止顎の平らな先端と上記壁躯体との間に隙間が形成されることを特徴とする。
【０００７】
【０００８】
【０００９】
【００１０】
請求項２に係る発明は、請求項１において、上記ルーバー材の中空部の内側に長手方向に沿って突条を形成する一方、上記ルーバー材の両端には小口を塞ぐ小口化粧材を固定し、上記小口化粧材の背面側には上記突条に嵌合可能な１対の嵌合片と、ネジの軸部を挿通可能な係合部とを形成し、上記小口化粧材の嵌合片をルーバー材の突条に嵌合するとともに、上記小口化粧材の背面に沿って進入させたネジの軸部を上記係合部に挿通させて上記中空部の壁に螺着したことを特徴とする。
【００１１】
請求項３に係る発明は、請求項１又は２において、上記ルーバー材の両端には小口を塞ぐ小口化粧材を固定し、上記ルーバー材及び上記小口化粧材の表面には化粧シートが貼着したことを特徴とする。
【発明の効果】
【００１２】
請求項１に係る発明によれば、建築物の壁躯体に直接固定した受部材と、押出形材からなるルーバー材とを備え、上記受部材には壁躯体に固定するための固定片と、上記壁躯体に対して垂直に突出するとともに先端に係止受顎を有する係止片を備え、上記ルーバー材には上記係止片に嵌合するとともに先端に係止顎を有する凹溝部を備え、上記ルーバー材の凹溝部を上記受部材の外側から嵌合し、かつ係止顎と係止受顎とを係止させて固定した構成で、受部材とルーバー材のみから構成されるので、部品点数が少なく、しかも作業工程も簡単になるので、コストを低く抑えることができる。ルーバー材を垂直に施工する場合も水平に施工する場合も手数は同じである。
【００１３】
また、上記ルーバー材の両側面の内側に、上記受部材の係止受顎の先端に係合するリブを形成したから、ルーバー材が必要以上に押し込まれるのを防止でき、両側のリブを一体に連結していないので、凹溝部を係止片に嵌合させて弾発的に係止させる際に、凹溝部の溝壁と受部材の係止片の両方が撓み、一方にのみ負荷がかからないので、押し付けによる嵌合作業を円滑かつ確実に行うことができる。
また、上記ルーバー材が受部材に固定された状態で、上記ルーバー材の先端と上記壁躯体との間には隙間が形成されているから、壁躯体の表面に凹凸ができているときでも、壁躯体の表面の凸部がルーバー材嵌合時の障害にならないので、より円滑に嵌合作業を行うことができ、作業性がよい。
【００１４】
また、受部材は断面コ字形に形成され、両側の係止片の外側にルーバー材の凹溝部が嵌合するとともに、ルーバー材の係止顎の先端が尖っているから、ルーバー材の嵌合作業を円滑に行うことができる。
【００１５】
【００１６】
請求項２に係る発明によれば、ルーバー材の中空部の内側に長手方向に沿って突条を形成する一方、上記小口化粧材の背面側には上記突条に嵌合可能な１対の嵌合片と、ネジの軸部を挿通可能な係合部とを形成し、上記小口化粧材の嵌合片をルーバー材の突条に嵌合するとともに、上記小口化粧材の背面に沿って進入させたネジの軸部を上記係合部に挿通させて上記中空部の壁に螺着した構成であり、小口化粧材の嵌合片でルーバー材の突条を挟むように嵌合しているので、小口化粧材はその面方向に動くことはできない。また、小口化粧材はネジで固定されるから、ルーバー材から抜け出す方向に動くこともできない。したがって、小口化粧材は安定してルーバー材に固定される。
【００１７】
しかも、小口化粧材を固定するネジはルーバー材の凹溝部の開口部からねじ込まれるので、ルーバー材が取り付けられた後は、ネジは外部に露出しないから、全体の美観が損なわれることはない。
【００１８】
請求項３に係る発明によれば、ルーバー材及び小口化粧材の表面には化粧シートが貼着されているから、例えば木目模様のシートを貼着すると、外観が全く異なるルーバーが得られる。しかも、小口化粧材とルーバー材の表面にはネジ頭が露出していないので、貼着されたシートの表面が滑らかである。したがって、意匠性を高めることができる。さらに、表面シートを変更することにより、種々のバリエーションをもたせることができる。
【図面の簡単な説明】
【００１９】
【図１】本発明に係る建築用ルーバーの小口を露出させた状態の側面図
【図２】上記ルーバーの一部の斜視図
【図３】ルーバー材と小口化粧材との取付態様を示す断面図
【図４】（ａ）（ｂ）（ｃ）はルーバー材の取り付け態様説明図
【図５】短尺の受部材を使用した場合のルーバー材の取り付け態様説明図
【図６】小口化粧材の斜視図
【図７】小口化粧材の取り付け態様説明図
【図８】（ａ）（ｂ）は小口化粧材を取り付けたルーバー材の取り付け態様説明図
【発明を実施するための最良の形態】
【００２０】
図１は、本発明に係る建築用ルーバーの小口を露出させた状態の側面図であり、図２は上記ルーバーの一部の斜視図である。
【００２１】
上図において、符号１はルーバーで、このルーバー１は、主に建築物の壁躯体２に直接固定した複数の受部材３と複数のルーバー材４とから構成されている。
【００２２】
図３に示されるように、長尺の受部材３はアルミニウム又はその合金の押出形材で、固定片５とその両側の係止片６とから断面コ字形に形成されている。固定片５は壁躯体２に固定するためのものであるが、係止片６はルーバー材４を取り付けるためのもので、上記壁躯体２に対して垂直に突出している。係止片６は固定片５の端部よりも少し内側から突出し、係止片６の先端には係止受顎７が形成されている。係止受顎７は外向きに形成され、先端は尖っている。
【００２３】
ルーバー材４はアルミニウム又はその合金の押出形材からなるもので、ルーバー材４には中空部８の一側に凹溝部１０とが形成されている。凹溝部１０は受部材３の両側係止片６の外側に嵌合可能な大きさに形成され、凹溝部１０の両側の先端の内側には係止顎１１が形成されている。この係止顎１１は内向きに形成され、その先端側は尖るように形成されているが、先端部は平らに形成されている。また、ルーバー材４の両側面の内側にはリブ１２が互いに向き合うように形成されている。リブ１２の長さは少なくとも、受部材３の係止受顎７の幅寸法と同じかそれよりも大きくなるように設定されている。さらに、リブ１２は、ルーバー材４の係止顎１１に係止する受部材３の係止受顎７の先端が接する位置に形成されているのが好ましい。また、リブ１２から係止顎１１の先端までの寸法は、受部材３の固定片５の下面から係止片６の先端までの寸法よりも短くなっている。また、中空部８を構成する仕切り壁１３の内側には長手方向に沿って断面Ｃ字形の突条１４が形成されている。
【００２４】
上記構成において、壁躯体２にルーバー材４を取り付け施工するときは、まず図４（ａ）（ｂ）に示されるように、壁躯体２に受部材３を固定する。この場合、図１及び図２に示すように複数の受部材３を固定し、各受部材３の固定片５を壁躯体２にビス止めして直付けする。受部材３同士は平行になるように取り付ける。次に、同図（ｂ）（ｃ）に示されるように、ルーバー材４を受部材３に向けて押し付け、図３のようにルーバー材４の凹溝部１０を受部材３の外側から嵌合し、ルーバー材４の係止顎１１を凹溝部１０の内側の係止受顎７に弾発的に係止させる。このように、係止顎１１と係止受顎７とを係止させることにより、ルーバー材４は受部材３に固定される。同様にして、全ての受部材３に対してルーバー材４を係止固定すればよい。
【００２５】
なお、ルーバー材４のリブ１２は、ルーバー材４の係止顎１１に係止する受部材３の係止受顎７の先端が接する位置とほぼ同じであるから、ルーバー材４を受部材３に向けて押し付けたときに、受部材３の係止受顎７の先端がルーバー材４のリブ１２に当接した部分で係止顎１１と係止受顎７とが係止し、ルーバー材４はそれ以上押し込むことはできない。また、リブ１２から係止顎１１の先端までの寸法は、受部材３の固定片５の下面から係止片６の先端までの寸法よりも短くなっているから、壁躯体２の表面とルーバー材４の係止顎１１の先端との間には隙間Ｓが形成される。
【００２６】
また、長尺の受部材３を壁躯体２に対して垂直方向又は水平方向に取り付けることにより、垂直又は水平の建築用ルーバーを得ることができる。
【００２７】
上述の建築用ルーバー１によれば、受部材３とルーバー材４のみから構成されるので、部品点数が少なく、しかも作業工程も簡単になるので、コストを低く抑えることができる。ルーバー材４を垂直に施工する場合も水平に施工する場合も手数は同じである。
【００２８】
また、ルーバー材４のリブ１２は、ルーバー材４が必要以上に押し込まれるのを防止して全体のルーバー材４の高さが揃うように調整することができるものであるが、両側のリブ１２を一体に連結していないので、凹溝部１０を係止片６に嵌合させて弾発的に係止させる際に、凹溝部１０の溝壁と受部材３の係止片６の両方が撓み、一方にのみ負荷がかからないので、押し付けによる嵌合作業を円滑かつ確実に行うことができる。
【００２９】
さらに、ルーバー材４を受部材３に押し付けたとき、ルーバー材４の係止顎１１の斜面と、受部材３の係止受顎７の斜面により、嵌合時にガイドとなり、円滑に嵌合でき、作業効率がよい。
【００３０】
また、壁躯体２は平面状に形成されているとは限らない。表面に凹凸ができている場合もある。このようなときでも、壁躯体２の表面とルーバー材４の係止顎１１の先端との間には隙間Ｓが形成される構成であるから、壁躯体２の表面の凸部がルーバー材４の嵌合時の障害にならないので、より円滑に嵌合作業を行うことができ、作業性がよい。
【００３１】
なお、受部材３は長尺材に限定されない。例えば、図５に示されるように、短尺の受部材３ａを一定の間隔に配置し、これにルーバー材４を上述と同じ要領で係止固定すればよい。
【００３２】
次に、ルーバー材４の両端には小口化粧材１５を取り付けるのが好ましい。
【００３３】
図６及び図７に示されるように、小口化粧材１５はルーバー材４の小口を覆う大きさで、その背面側には１対の嵌合片１６とネジ軸１７ａを収容可能な係合部１８とが形成されている。嵌合片１６と係合部１８との間には、ルーバー材４の中空部８の仕切り壁１３の厚さとほぼ同じかそれよりも大きい隙間が形成されている。嵌合片１６は平板状に形成され、その長さは上記中空部８の高さ寸法とほぼ同じに設定されている。これに対し、係合部１８は１対の屈曲した係合片１８ａによって形成され、係合片１８ａの間にネジ軸１７ａが挿通できる程度の空間が形成されている。したがって、ネジの頭部１７ｂは係合部１８の端面に係合するようになっている。
【００３４】
上記構成において、小口化粧材１５をルーバー材４の小口に固定するときは、図７及び図８（ａ）（ｂ）に示されるように、小口化粧材１５の背面をルーバー材４の小口に当てるように押し付ける。そして、小口化粧材１５の嵌合片１６でルーバー材４の突条１４を挟むように嵌合させる。このとき、小口化粧材１５の嵌合片１６と係合部１８との間にルーバー材４の中空部８の仕切り壁１３が入り込む。次に、ルーバー材４の凹溝部１０の開口側からネジ１７を入れ、小口化粧材１５の背面に沿って進入させ、ネジ１７の軸部１７ａを係合部１８に挿通させて中空部８の仕切り壁１３に螺着する。これにより、小口化粧材１５はルーバー材４の小口に固定される。
【００３５】
なお、ルーバー材４へ先に小口化粧材１５を取り付けてからルーバー材４を受部材３に固定すればよい。
【００３６】
上述の小口塞ぎ構成によれば、図３に示されるように、小口化粧材１５の嵌合片１６でルーバー材４の突条１４を挟むように嵌合しているので、小口化粧材１５は図３において上下方向に動くことはできない。また、小口化粧材１５の嵌合片１６の長さは中空部８の高さ寸法とほぼ同じに形成されているから、嵌合片１６はルーバー材４の中空部８に嵌合する。そして、小口化粧材１５の嵌合片１６と係合部１８との間にルーバー材４の中空部８の仕切り壁１３が入り込む。このため、小口化粧材１５は図３において左右方向に動くことはできない。このように、小口化粧材１５はその面方向に動くことができないだけでなく、さらに、小口化粧材１５はネジ１７で固定されるから、ルーバー材４から抜け出す方向に動くこともできない。したがって、小口化粧材１５は安定してルーバー材４に固定される。
【００３７】
しかも、小口化粧材１５を固定するネジはルーバー材４の凹溝部１０の開口部からねじ込まれるので、ルーバー材４が取り付けられた後は、ネジは外部に露出しないから、全体の美観が損なわれることはない。
【００３８】
なお、図示はしないが、上記ルーバー材４及び小口化粧材１５の表面に、適宜の模様を施したシートを貼着してもよい。これによれば、例えば木目模様のシートを貼着すると、外観が全く異なるルーバーが得ることができる。しかも、小口化粧材１５とルーバー材４の表面にはネジ頭が露出していないので、貼着されたシートの表面が滑らかである。したがって、意匠性を高めることができる。さらに、表面シートを変更することにより、種々のバリエーションをもたせることができる。
【００３９】
シートを貼着するときは、小口化粧材１５とルーバー材４のそれぞれに又は個別に貼着してもよく、あるいは一体に貼着してもよい。
【符号の説明】
【００４０】
１    ルーバー
２    壁躯体
３、３ａ    受部材
４    ルーバー材
５    固定片
６    係止片
７    係止受顎
８    中空部
１０  凹溝部
１１  係止顎
１５  小口化粧材
１４  突条
１６  嵌合片
１８  係合部
【図１】
2014145251.tif 000003
【図２】
2014145251.tif 000004
【図３】
2014145251.tif 000005
【図４】
2014145251.tif 000006
【図５】
2014145251.tif 000007
【図６】
2014145251.tif 000008
【図７】
2014145251.tif 000009
【図８】
2014145251.tif 000010